(57)【要約】【課題】複数の送信部の一つと複数の受信部の一つとを一対一で対応させるように、複数の受信部と同数の複数の送信部を有する装置と比較して装置の構成を簡単にすることができる画像形成装置を提供する。【解決手段】画像形成装置１０は、無線によりデータを送信する送信部５３０と、送信部５３０が送信したデータを受信する複数の受信部４１０Ｙ等と、複数の受信部４１０Ｙ等のいずれかにそれぞれが対応し、対応する複数の受信部４１０Ｙ等の一つが受信したデータを用いて画像を書き込む複数の発光部４２０Ｙ等とを有し、送信部５３０は、複数の受信部４１０Ｙ等のいずれかが受信するパケット化した画像データを送信する。【選択図】図３
2018182630.tif 000002
【特許請求の範囲】
【請求項１】
無線によりデータを送信する送信部と、
前記送信部が送信したデータを受信する複数の受信部と、
前記複数の受信部のいずれかにそれぞれが対応し、対応する前記複数の受信部の一つが受信したデータを用いて画像を書き込む複数の書込部と、
を有し、
前記送信部は、前記複数の受信部のいずれかが受信するパケット化した画像データを送信する画像形成装置。
【請求項２】
前記送信部は、パケット化した画像データを同期するために前記複数の書込部が用いる同期信号をさらに送信する請求項１記載の画像形成装置。
【請求項３】
前記送信部は、パケット化した画像データと同期信号とを互いに重ならないように送信する請求項２記載の画像形成装置。
【請求項４】
前記複数の書込部は、一つの同期信号を共通して用いる請求項２又は３記載の画像形成装置。
【請求項５】
前記送信部は、
一定の周期で同期信号を送信し、
同期信号の一つの送信が終了した後であって、同期信号の次の一つの送信が開始するまでに、前記複数の受信部がそれぞれに受信する一組のパケット化した画像データを送信する
請求項２乃至４いずれか記載の画像形成装置。
【発明の詳細な説明】
【技術分野】
【０００１】
本発明は、画像形成装置に関する。
【背景技術】
【０００２】
特許文献１には、筐体と、前記筐体に対して可動する可動部材と、前記可動部材に取り付けられ、無線で通信を行う無線通信素子と、前記無線通信素子と無線で送受信を行う送受信部と、前記可動部材が前記筐体内に位置している状態で、前記無線通信素子と前記送受信部との通信を遮蔽する遮蔽部と、を有する検知装置であって、前記可動部材の動作により、前記無線通信素子が前記筐体外に露出することで、前記無線通信素子と前記送受信部間の通信が可能なモードと、前記無線通信素子が前記筐体内に入ることで、前記無線通信素子と前記送受信部間の通信が不可能となるモードを持つことで、前記検知装置の状態を検知することを特徴とする検知装置が記載されている。
【０００３】
特許文献２には、画像処理に関する制御を行う複数の機能ユニットにより構成される画像形成装置であって、各機能ユニットは、画像形成装置に搭載可能な機能のうちの１以上の制御を行う制御手段と、他の機能ユニットと超広帯域無線により画像データの通信を行う通信手段とを備えることを特徴とする画像形成装置が記載されている。
【先行技術文献】
【特許文献】
【０００４】
【特許文献１】特開２００７−３３３４１１号公報
【特許文献２】特開２００８−２３６０９４号公報
【発明の概要】
【発明が解決しようとする課題】
【０００５】
送信部から送信されたデータを複数の受信部で受信する装置においては、装置の構成が複雑になる虞がある。
【０００６】
本発明は、複数の送信部の一つと複数の受信部の一つとを一対一で対応させるように、複数の受信部と同数の複数の送信部を有する装置と比較して装置の構成を簡単にすることができる画像形成装置を提供することを目的とする。
【課題を解決するための手段】
【０００７】
請求項１に係る本発明は、無線によりデータを送信する送信部と、前記送信部が送信したデータを受信する複数の受信部と、前記複数の受信部のいずれかにそれぞれが対応し、対応する前記複数の受信部の一つが受信したデータを用いて画像を書き込む複数の書込部と、を有し、前記送信部は、前記複数の受信部のいずれかが受信するパケット化した画像データを送信する画像形成装置である。
【０００８】
請求項２に係る本発明は、前記送信部は、パケット化した画像データを同期するために前記複数の書込部が用いる同期信号をさらに送信する請求項１記載の画像形成装置である。
【０００９】
請求項３に係る本発明は、前記送信部は、パケット化した画像データと同期信号とを互いに重ならないように送信する請求項２記載の画像形成装置である。
【００１０】
請求項４に係る本発明は、前記複数の書込部は、一つの同期信号を共通して用いる請求項２又は３記載の画像形成装置である。
【００１１】
請求項５に係る本発明は、前記送信部は、一定の周期で同期信号を送信し、同期信号の一つの送信が終了した後であって、同期信号の次の一つの送信が開始するまでに、前記複数の受信部がそれぞれに受信する一組のパケット化した画像データを送信する請求項２乃至４いずれか記載の画像形成装置である。
【発明の効果】
【００１２】
請求項１に係る本発明によれば、複数の送信部の一つと複数の受信部の一つとを一対一で対応させるように、複数の受信部と同数の複数の送信部を有する装置と比較して装置の構成を簡単にすることができる画像形成装置を提供することができる。
【００１３】
請求項２に係る本発明によれば、パケット化した画像データを送信する送信部とは別の、同期信号を送信するための送信部を有する装置と比較して装置の構成を簡単にすることができる。
【００１４】
請求項３に係る本発明によれば、パケット化した画像データと同期信号とを同じ送信部で送信しても、パケット化した画像データが同期信号の影響を受けることを防止することができる。
【００１５】
請求項４に係る本発明によれば、複数の書込部がそれぞれに異なる同期信号を用いる装置と比較して、データの通信量を低減させることができる。
【００１６】
請求項５に係る本発明によれば、同期信号の一つの送信が終了した後であって、同期信号の次の一つの送信が開始するまでに、複数の受信部がそれぞれに受信する複数組のパケット化した画像データを送信部が送信する装置と比較して、書込部が必要とするラインバッファの容量を少なくすることができる。
【図面の簡単な説明】
【００１７】
【図１】本発明の実施形態で用いられる画像形成装置の概略構成を示す図である。
【図２】図１に示す画像形成装置が有するコントローラの構成と潜像形成装置との構成を示す模式図である。
【図３】図２に示す潜像形成装置の動作の一例を説明するタイミングチャートである。
【発明を実施するための形態】
【００１８】
以下、本発明の実施形態について図面を参照して詳細に説明する。図１は、本発明の実施形態で用いられる画像形成装置１０の一例を示す図である。図１に示すように、画像形成装置１０は、画像形成装置本体１２を有し、画像形成装置本体１２の上側の面が、画像の形成された例えば用紙等の記録媒体が排出される排出部１６として用いられている。また、画像形成装置本体１２内には、記録媒体に画像を形成する画像形成部１００が配置されている。
【００１９】
画像形成部１００は、例えば４つの画像形成ユニット１２０Ｙ、１２０Ｍ、１２０Ｃ、１２０Ｋを有する。画像形成ユニット１２０Ｙ、１２０Ｍ、１２０Ｃ、１２０Ｋは、それぞれが、イエロー（Ｙ）、マゼンタ（Ｍ）、シアン（Ｃ）、黒（Ｋ）のトナー像を形成する。
【００２０】
画像形成ユニット１２０Ｙ、１２０Ｍ、１２０Ｃ、１２０Ｋは、それぞれが、像保持体として用いられている感光体ドラム１２２Ｙ、１２２Ｍ、１２２Ｃ、１２２Ｋを有し、感光体ドラム１２２Ｙ、１２２Ｍ、１２２Ｃ、１２２Ｋにそれぞれ潜像を形成する潜像形成装置４００Ｙ、４００Ｍ、４００Ｃ、４００Ｋを有する。潜像形成装置４００Ｙ、４００Ｍ、４００Ｃ、４００Ｋの詳細は後述する。
【００２１】
画像形成ユニット１２０Ｙ、１２０Ｍ、１２０Ｃ、１２０Ｋは、形成するトナーの色が異なるものの構造が同じである。このため、各画像形成ユニットを区別することを要する場合を除き、以下、画像形成ユニット１２０Ｙ、１２０Ｍ、１２０Ｃ、１２０Ｋを画像形成ユニット１２０と総称して説明する。
【００２２】
それぞれの画像形成ユニット１２０は、先述のように感光体ドラム１２２と潜像形成装置４００とを有し、さらには、感光体ドラム１２２を帯電する帯電装置１２４と、潜像を現像してトナー像とする現像装置１２６と、感光体ドラム１２２の表面を清掃する清掃装置１２８とを有する。
【００２３】
画像形成部１００は、転写装置１５０をさらに有し、転写装置１５０は、無端状の中間転写体１５２を有する。中間転写体１５２は、例えば二つの支持ロールである支持ロール１５４と、支持ロール１５６とに支持されていて、矢印Ａ方向に回転する。
【００２４】
転写装置１５０は、１次転写装置１６０をさらに有する。１次転写装置１６０は複数があり、それぞれが複数の画像形成ユニット１２０のいずれかに対応して配置されていて、それぞれが感光体ドラム１２２Ｙ、１２２Ｍ、１２２Ｃ、１２２Ｋから中間転写体１５２へとトナー像を転写させる。
【００２５】
転写装置１５０は、２次転写装置１７０をさらに有する。２次転写装置１７０は、中間転写体１５２から記録媒体にトナー像を転写する。
【００２６】
画像形成装置本体１２内には、定着装置１８０がさらに配置されている。定着装置１８０は、例えば熱と圧力とによってトナー像を記録媒体に定着させる。
【００２７】
また、画像形成装置本体１２内には供給装置２００が配置されている。供給装置２００は、収納部２０２に収納された記録媒体を供給ロール２０４を用いて画像形成部１００へと供給する。
【００２８】
また、画像形成装置本体１２内には搬送路２４０が形成されている。搬送路２４０は、供給装置２００から２次転写装置１７０へと記録媒体を搬送し、さらには排出部１６へと記録媒体を排出するように記録媒体を搬送する。
【００２９】
また、画像形成装置本体１２内には、搬送路２４０に沿って、記録媒体搬送方向における上流側から順に、先述の供給ロール２０４と、レジストロール２４２と、先述の２次転写装置１７０と、先述の定着装置１８０と、排出ロール２４４とが配置されている。
【００３０】
レジストロール２４２は、記録媒体の先端の移動を一時的に停止させ、画像形成部１００が画像を形成するタイミングに一致させるように、記録媒体の先端の移動を再開させる。
【００３１】
排出ロール２４４は、定着装置１８０によってトナー像が定着された記録媒体を、排出部１６へと排出する。
【００３２】
また、画像形成装置本体１２内には、コントローラ５００が配置されている。コントローラ５００は、例えば、画像形成部１００、定着装置１８０、供給装置２００等の画像形成装置１０における他の部分を制御する。コントローラ５００の詳細は後述する。
【００３３】
図２には、コントローラ５００と、潜像形成装置４００Ｙ、４００Ｍ、４００Ｃ、４００Ｋとが示されている。図２に示すように、コントローラ５００は、それぞれが制御回路として用いられているＣＰＵ（central processing unit）５１０及びＡＳＩＣ（application specific integrated circuit）５２０と、送信部５３０とを有する。
【００３４】
送信部５３０は、無線によりデータを送信する送信部として用いられている。また、送信部５３０としては、例えば、ＷｉＧｉｇ（Wireless Gigabit、ワイギグ）対応の機器を用いることができる。ここで、ＷｉＧｉｇとは、ＩＥＥＥ８０２．１１ａｄで規格化された短距離の高速デジタル無線通信であり、周波数６０ギガヘルツのミリ波の電波を利用し、通信速度は最大７Ｇｂｐｓと高速である。
【００３５】
送信部５３０は、データとして、後述する受信部４１０Ｙ、４００Ｍ、４００Ｃ、４００Ｋのいずれかが受信するパケット化した画像データと、パケット化した画像データを同期するためのパケット化した同期信号とを送信する。送信部５３０によるデータ送信の詳細については後述する。
【００３６】
潜像形成装置４００Ｙ、４００Ｍ、４００Ｃ、４００Ｋは、受信部４１０Ｙ、４１０Ｍ、４１０Ｃ、４１０Ｋをそれぞれに有する。受信部４１０Ｙ、４１０Ｍ、４１０Ｃ、４１０Ｋは、それぞれが送信部５３０の送信したデータを受信する。このように、画像形成装置１０においては、一つの送信部５３０が送信したデータを、複数の受信部である受信部４１０Ｙ、４１０Ｍ、４１０Ｃ、４１０Ｋが受信する。このため、画像形成装置１０においては、複数の受信部である受信部４１０Ｙ、４１０Ｍ、４１０Ｃ、４１０Ｋの一つと、複数の送信部の一つとを一対一で対応させるように複数の送信部を有する装置と比較して、装置の構成を簡単にすることができる。
【００３７】
受信部４１０Ｙ、４１０Ｍ、４１０Ｃ、４１０Ｋとしては、例えば、WiGig対応の機器を用いることができる。
【００３８】
潜像形成装置４００Ｙ、４００Ｍ、４００Ｃ、４００Ｋは、それぞれが発光部４２０Ｙ、４２０Ｍ、４２０Ｃ、４２０Ｋを有する。発光部４２０Ｙ、４２０Ｍ、４２０Ｃ、４２０Ｋは、それぞれが書込部として用いられていて、それぞれが、例えばＬＥＤアレイ等の発光体（不図示）を有し、上述の発光体が発光することにより感光体ドラム１２２Ｙ、１２２Ｍ、１２２Ｃ、１２２Ｋに画像（潜像）を書き込む。
【００３９】
より具体的には、複数の発光部４２０Ｙ、４２０Ｍ、４２０Ｃ、４２０Ｋは、複数の受信部４１０Ｙ、４１０Ｍ、４１０Ｃ、４１０Ｋのいずれかにそれぞれが対応し、対応する複数の受信部４１０Ｙ、４１０Ｍ、４１０Ｃ、４１０Ｋの一つが受信したデータを用いて画像を書き込む。さらに具体的には、発光部４２０Ｙ、４２０Ｍ、４２０Ｃ、４２０Ｋは、それぞれが、受信部４１０Ｙが受信したデータを用いて画像を書き込み、受信部４１０Ｍが受信したデータを用いて画像を書き込み、受信部４１０Ｃが受信したデータを用いて画像を書き込み、受信部４１０Ｋ受信したデータを用いて画像を書き込む。
【００４０】
潜像形成装置４００Ｙ、４００Ｍ、４００Ｃ、４００Ｋは、それぞれが、制御部４３０Ｙ、４３０Ｍ、４３０Ｃ、４３０Ｋをさらに有する。制御部４３０Ｙ、４３０Ｍ、４３０Ｃ、４３０Ｋは、それぞれが、受信部４１０Ｙと発光部４２０Ｙとを制御し、受信部４１０Ｍと発光部４２０Ｍとを制御し、受信部４１０Ｃと発光部４２０Ｃとを制御し、受信部４１０Ｋと発光部４２０Ｋとを制御する。制御部４３０Ｙ、４３０Ｍ、４３０Ｃ、４３０Ｋとしては、例えば、ＡＳＩＣを用いることができる。
【００４１】
図３は、送信部５３０がデータを送信するタイミングと、発光部４２０Ｙ、４２０Ｍ、４２０Ｃ、４２０Ｋが発光するタイミングとを説明するタイミングチャートである。図３には、上段側に送信部５３０がデータを送信するタイミングが示されていて、その下側に発光部４２０Ｙ、４２０Ｍ、４２０Ｃ、４２０Ｋが発光するタイミングが示されている。
【００４２】
より具体的には、図３には、最も上の行から順に、同期信号を送信部５３０が送信するタイミングと、パケット化したイエローの画像データ（ビデオデータ）を送信部５３０が送信するタイミングと、パケット化したマゼンタの画像データを送信部５３０が送信するタイミングと、パケット化したシアンの画像データを送信部５３０が送信するタイミングと、パケット化した黒の画像データを送信部５３０が送信するタイミングと、発光部４２０Ｙが発光するタイミングと、発光部４２０Ｍが発光するタイミングと、発光部４２０Ｃが発光するタイミングと、発光部４２０Ｋが発行するタイミングとが示されている。
【００４３】
図３に示すように、送信部５３０は、パケット化した同期信号を一定の周期Ｔで送信する。この際、周期Ｔは、感光体ドラム１２２の速度と、感光体ドラム１２２に書き込む画像の画素密度に応じて定められている。また、送信部５３０は、イエロー、マゼンタ、シアン、黒のそれぞれの潜像形成における主走査方向の１ライン分の画像データ（ビデオ信号）をパッケット化したデータを、イエローの画像データ、マゼンタの画像データ、シアンの画像データ、黒の画像データとして送信する。
【００４４】
このように、同期信号は、パケット画像データを送信する送信部５３０によって送信されている。このため、パケット化した画像データを送信する送信部５３０とは別に同期信号を送信する送信部を有するように画像形成装置１０を構成する場合と比較して、画像形成装置１０の構成を簡単にすることができる。
【００４５】
また、図３に示すように、送信部５３０は、イエロー、マゼンダ、シアン、黒それぞれのパケット化した画像データと同期信号とを、時間的に重ならないように送信している。このため、パケット化した画像データと同期信号とが同じ送信部である送信部５３０によって送信されているものの、パケット化した画像データが同期信号の影響を受けることを防止することができる。
【００４６】
発光部４２０Ｙ、４２０Ｍ、４２０Ｃ、４２０Ｋは、それぞれが、送信部５３０が送信したパケット化した同期信号を水平同期信号（HSYNK）として用いて、発光に用いる１ライン分のデータを切り替えている。この際、発光部４２０Ｙ、４２０Ｍ、４２０Ｃ、４２０Ｋは、データの切替のタイミング制御に用いられる水平同期信号が送信される直前等、データの切替のタイミング制御に用いられる水平同期信号が送信されるよりも前に送信された画像データへと用いるデータを切り替える。
【００４７】
例えば図３に示すように、発光部４２０Ｙ、４２０Ｍ、４２０Ｃ、４２０Ｋは、同期信号Ｓ１を水平同期信号として用いて、同期信号Ｓ１よりも前に送信された画像データＹ１、画像データＭ１、画像データＣ１、画像データＫ１へと発光に用いるデータをそれぞれに切り替えている。また、例えば図３に示すように、発光部４２０Ｙ、４２０Ｍ、４２０Ｃ、４２０Ｋは、同期信号Ｓ２を水平同期信号として用いて、同期信号Ｓ２よりも前に送信された画像データＹ２、画像データＭ２、画像データＣ２、画像データＫ２へと発光に用いるデータをそれぞれに切り替えている。
【００４８】
ここで、発光部４２０Ｙ、４２０Ｍ、４２０Ｃ、４２０Ｋが発光に用いるデータを切り替えるタイミングは、同期信号Ｓ１、Ｓ２等が送信されてから、それぞれにｔ１秒、ｔ２秒、ｔ３秒、ｔ４秒と遅延している。ここで、遅延時間であるｔ１秒、ｔ２秒、ｔ３秒、ｔ４秒は、中間転写体１５２の表面へと各色のトナー像が位置ずれなく転写されるように、中間転写体１５２の下流側に位置する発光部ほど遅延時間が長くなるように、中間転写体１５２の速度に基づいて算出されている。
【００４９】
また、発光部４２０Ｙ、４２０Ｍ、４２０Ｃ、４２０Ｋとの複数の発光部は、例えば同期信号Ｓ１、Ｓ２等の一つの同期信号を共通に用いている。このため、発光部４２０Ｙ、４２０Ｍ、４２０Ｃ、４２０Ｋとの複数の発光部がそれぞれに異なる同期信号を用いる場合と比較して、送信部５３０のデータの通信量を低減させることができる。
【００５０】
また、送信部５３０は、例えば同期信号Ｓ１等の一つの同期信号の送信が終了した後であって、例えば同期信号Ｓ２等の同期信号の次の一つの送信が開始するまでに、イエローの画像データＹ２、マゼンタの画像データＭ２、シアンの画像データＣ２、黒の画像データＫ２との一組のパケット化した画像データを送信している。このため、一つの同期信号の送信が終了した後であって、同期信号の次の一つの送信を開始するまでに、二組以上のパケット化した画像データを送信する場合と比較して、画像データが使われる時点まで画像データを記憶するラインバッファの容量を少なくすることができる。
【符号の説明】
【００５１】
１０・・・画像形成装置
１２２・・・感光体ドラム
１５２・・・中間転写体
４００Ｙ、４００Ｍ、４００Ｃ、４００Ｋ・・・潜像形成装置
４１０Ｙ、４１０Ｍ、４１０Ｃ、４１０Ｋ・・・受信部
４２０Ｙ、４２０Ｍ、４２０Ｃ、４２０Ｋ・・・発光部
５００・・・コントローラ
５３０・・・送信部
Ｙ１、Ｙ２、Ｍ１、Ｍ２、Ｃ１、Ｃ２、Ｋ１、Ｋ２・・・画像データ
Ｓ１、Ｓ２・・・同期信号
【図１】
2018182630.tif 000003
【図２】
2018182630.tif 000004
【図３】
2018182630.tif 000005